(57)【要約】【課題】感知精度の向上を図りながらも迷光の増加を抑制することが可能な煙感知器を提供する。【解決手段】煙感知器１は、感知ケース７と、発光素子４と、受光素子と、遮光構造７０と、を備える。感知ケース７は、感知空間Ｓｐ１を囲む。発光素子４は、感知空間Ｓｐ１に向けて光を出力する。受光素子は、発光素子４からの直接光が入射せず、かつ感知空間Ｓｐ１内の煙での散乱光が入射する位置に配置される。遮光構造７０は、感知ケース７の内面７００から感知空間Ｓｐ１内に突出する。感知ケース７は、煙を通過させかつ光の透過を抑制する壁構造３を含む。遮光構造７０は、発光素子４から出力され感知ケース７の内面７００にて１回以上反射して受光素子に入射する光の経路上に位置する。【選択図】図１
2019168830.tif 000002
【特許請求の範囲】
【請求項１】
感知空間を囲む感知ケースと、
前記感知空間に向けて光を出力する発光素子と、
前記発光素子からの直接光が入射せず、かつ前記感知空間内の煙での散乱光が入射する位置に配置される受光素子と、
前記感知ケースの内面から前記感知空間内に突出する遮光構造と、を備え、
前記感知ケースは、前記煙を通過させかつ光の透過を抑制する壁構造を含み、
前記遮光構造は、前記発光素子から出力され前記感知ケースの前記内面にて１回以上反射して前記受光素子に入射する光の経路上に位置する
煙感知器。
【請求項２】
前記感知ケースは、前記発光素子を保持する発光素子ホルダを有し、
前記遮光構造は、前記発光素子ホルダから突出する遮光片を含む
請求項１に記載の煙感知器。
【請求項３】
前記遮光片は、前記発光素子ホルダにおける前記発光素子からの光が出射される出射口の周囲に位置する
請求項２に記載の煙感知器。
【請求項４】
前記発光素子の半値角は２５度以上である
請求項１〜３のいずれか１項に記載の煙感知器。
【請求項５】
前記壁構造は、一平面に直交する一方向から見て前記感知空間を囲んでおり、
前記感知ケースは、前記一方向において互いに対向する一対の内底面を有し、
前記遮光構造は、前記一対の内底面の少なくとも一方から突出する遮光リブを含む
請求項１〜４のいずれか１項に記載の煙感知器。
【請求項６】
前記遮光リブは、前記発光素子から出力され前記一対の内底面の少なくとも一方に入射する光の経路上に位置する
請求項５に記載の煙感知器。
【請求項７】
前記遮光リブは、前記一平面に直交する前記一方向から見て、前記発光素子の光軸と重なる位置に配置されている
請求項５又は６に記載の煙感知器。
【請求項８】
前記遮光リブは、前記発光素子の光軸に交差する方向に延びた形状である
請求項７に記載の煙感知器。
【請求項９】
前記一平面に直交する前記一方向から見て、前記発光素子と前記受光素子とを結ぶ直線上に配置された遮光壁を更に備え、
前記一平面に直交する前記一方向から見て、前記発光素子の前記光軸から前記遮光壁側への前記遮光リブの突出量は、前記発光素子の前記光軸から前記遮光壁とは反対側への前記遮光リブの突出量よりも小さい
請求項８に記載の煙感知器。
【発明の詳細な説明】
【技術分野】
【０００１】
本開示は、一般に煙感知器に関し、より詳細には、発光素子及び受光素子を備え、感知空間に流入した煙で散乱された発光素子からの出力光を受光素子で受光することにより煙を感知する煙感知器に関する。
【背景技術】
【０００２】
従来、感知空間（感煙領域）に入り込んだ煙に、発光素子（投光素子）から光を照射し、その煙による散乱光を受光素子で受光することにより、煙を感知する煙感知器が知られている（例えば特許文献１）。
【０００３】
特許文献１に記載の煙感知器は、複数のラビリンス壁で囲まれた感知空間に、ラビリンス壁の間隙によって形成された煙流入路から感知領域への煙の流入を可能としている。また、ラビリンス壁は、外部からの光によって煙感知機能が不安定とならないように、外光が煙流入路を通って入光しないような外光遮断作用を有している。特許文献１においては、発光素子及び受光素子を収容する煙感知体は略円形状である。さらに、特許文献１では、発光素子及び受光素子の後部（つまり感知空間とは反対側の端部）を突出させることにより、感知空間を広く形成している。
【先行技術文献】
【特許文献】
【０００４】
【特許文献１】特開２０１０−４０００９号公報
【発明の概要】
【発明が解決しようとする課題】
【０００５】
特許文献１に記載の構成では、例えば、感知空間を囲む感知ケース（煙感知体）の製造時の歪み、又は使用中の変形、汚れ及び異物の侵入等に及び傷等に起因して、感知ケースの内面にて、発光素子から出力された光の一部が受光素子に向けて反射される可能性がある。その結果、受光素子には、感知空間内の煙での散乱光だけでなく感知ケースの内面での反射光も入射する場合があり、迷光が増加する煙感知器の感知精度が低下する可能性がある。
【０００６】
本開示は上記事由に鑑みてなされ、感知精度の向上を図りながらも迷光の増加を抑制する感知精度の向上を図ることが可能な煙感知器を提供することを目的とする。
【課題を解決するための手段】
【０００７】
本開示の一態様に係る煙感知器は、感知ケースと、発光素子と、受光素子と、遮光構造と、を備える。前記感知ケースは、感知空間を囲む。前記発光素子は、前記感知空間に向けて光を出力する。前記受光素子は、前記発光素子からの直接光が入射せず、かつ前記感知空間内の煙での散乱光が入射する位置に配置される。前記遮光構造は、前記感知ケースの内面から前記感知空間内に突出する。前記感知ケースは、前記煙を通過させかつ光の透過を抑制する壁構造を含む。前記遮光構造は、前記発光素子から出力され前記感知ケースの前記内面にて１回以上反射して前記受光素子に入射する光の経路上に位置する。
【発明の効果】
【０００８】
本開示によれば、感知精度の向上を図りながらも迷光の増加を抑制することが可能である、という利点がある。
【図面の簡単な説明】
【０００９】
【図１】図１は、実施形態１に係る煙感知器の感知ブロックの一部破断した斜視図である。
【図２】図２Ａは、同上の煙感知器の斜め下方から見た外観斜視図である。図２Ｂは、同上の煙感知器の斜め上方から見た外観斜視図である。
【図３】図３は、同上の煙感知器の斜め下方から見た分解斜視図である。
【図４】図４は、同上の煙感知器の斜め上方から見た分解斜視図である。
【図５】図５は、同上の煙感知器の一部破断した斜視図である。
【図６】図６は、同上の煙感知器における感知ブロックの分解斜視図である。
【図７】図７は、同上の煙感知器の第２ケースを外した状態の感知ブロックの平面図である。
【図８】図８Ａは、同上の煙感知器の第２ケースを外した状態の感知ブロックの平面図である。図８Ｂは、同上の煙感知器の要部を示し、図８Ａの領域Ｚ１の拡大図である。
【図９】図９は、同上の煙感知器の要部を示し、図５の領域Ｚ１についての拡大断面図である。
【図１０】図１０は、同上の煙感知器の要部を示し、図７のＡ１−Ａ１線端面図である。
【図１１】図１１Ａは、同上の煙感知器の第２ケースを外した状態の感知ブロックの要部の平面図である。図１１Ｂは、同上の煙感知器の要部を示す端面図である。
【図１２】図１２は、実施形態２に係る煙感知器の第２ケースを外した状態の感知ブロックの平面図である。
【図１３】図１３は、実施形態２の変形例に係る煙感知器の第２ケースを外した状態の感知ブロックの平面図である。
【図１４】図１４Ａは、実施形態３に係る煙感知器の第２ケースを外した状態の感知ブロックの平面図である。図１４Ｂは、図１４Ａの領域Ｚ１についての拡大図である。
【図１５】図１５Ａは、実施形態２に係る煙感知器の第２ケースを外した状態の感知ブロックの平面図である。図１５Ｂは、図１５Ａの領域Ｚ１についての拡大図である。
【図１６】図１６は、実施形態４に係る煙感知器の第２ケースを外した状態の感知ブロックの平面図である。
【発明を実施するための形態】
【００１０】
（実施形態１）
（１）概要
本実施形態に係る煙感知器は、火災等によって発生する煙を感知したときに、発報を行う防災機器である。つまり、火災等の災害の発生時において煙が発生すると、煙感知器は、この煙を検知し、一例として、警報音の出力又は通信機能による他の機器との連動等によって発報を行う。本開示でいう「防災機器」は、例えば、火災等の災害の防止、災害による被害の拡大の防止、又は被災からの復旧等の目的で施設に設置される機器である。
【００１１】
煙感知器１は、図２Ａ及び図２Ｂに示すように、筐体２を備え、筐体２内に種々の部品を収容している。煙感知器１は、施設に設置されて使用される。本実施形態では、煙感知器１が、例えば、ホテル、オフィスビル、学校、福祉施設、商業施設、テーマパーク、病院又は工場等の非住宅の施設に用いられる場合を例示するが、この例に限らず、煙感知器１は、集合住宅又は戸建住宅等の施設に用いられてもよい。煙感知器１は、例えば、施設の居室、廊下又は階段等において、天井又は壁等に取り付けられた状態で施設に設置される。
【００１２】
本実施形態に係る煙感知器１は、図１に示すように、感知ケース７と、発光素子４と、受光素子５と、遮光構造７０と、を備える。感知ケース７は、感知空間Ｓｐ１を囲む。発光素子４は、感知空間Ｓｐ１に向けて光を出力する。受光素子５は、発光素子４からの直接光が入射せず、かつ感知空間Ｓｐ１内の煙での散乱光が入射する位置に配置される。これにより、感知空間Ｓｐ１に煙が存在しない状態では、受光素子５は、発光素子４から出力された光を受光せず、感知空間Ｓｐ１に煙が存在する状態では、受光素子５は、発光素子４から出力され煙で散乱された光（散乱光）を受光する。したがって、煙感知器１は、受光素子５での受光状態によって、感知空間Ｓｐ１に存在する煙を感知することができる。感知ケース７は、煙を通過させかつ光の透過を抑制する壁構造３を含む。つまり、壁構造３は、感知空間Ｓｐ１の外部から感知空間Ｓｐ１に光が進入することを抑制しつつも、感知空間Ｓｐ１の外部から感知空間Ｓｐ１に煙を取り込む機能を有する。
【００１３】
ここにおいて、遮光構造７０は、感知ケース７の内面７００から感知空間Ｓｐ１内に突出する。遮光構造７０は、発光素子４から出力され感知ケース７の内面７００にて１回以上反射して受光素子５に入射する光の経路Ｏｐ１，Ｏｐ２，Ｏｐ３（図１１Ａ及び図１１Ｂ参照）上に位置する。
【００１４】
この構成によれば、発光素子４から出力され感知ケース７の内面７００にて１回以上反射して受光素子５に入射する光の少なくとも一部は、遮光構造７０にて遮られることになる。したがって、本実施形態に係る煙感知器１では、遮光構造７０が無い構成に比べて、発光素子４から出力された光が感知ケース７の内面７００で反射されて受光素子５に入射する可能性を低減できる。したがって、例えば、感知空間Ｓｐ１を囲む感知ケース７の汚れ及び異物の侵入等が生じた場合でも、感知ケース７の内面７００にて、発光素子４から出力された光の一部が受光素子５に向けて反射される可能性は低減される。その結果、受光素子５には、感知ケース７の内面７００での反射光が入射しにくくなり、煙感知器１の感知精度の向上を図りながらも迷光の増加を抑制することが可能である。
【００１５】
（２）構成
以下、本実施形態に係る煙感知器１の構成について詳しく説明する。
【００１６】
本実施形態では、一例として、煙感知器１が施設の天井に取り付けられることとして説明する。以下、煙感知器１が天井に取り付けられた状態での、水平面に対して垂直な（直交する）方向を「上下方向」とし、上下方向における下方を「下方」として説明する。図面中の「上下方向」を示す矢印は説明のために表記しているに過ぎず、実体を伴わない。ただし、これらの方向は煙感知器１の使用方向（取付方向）を限定する趣旨ではない。例えば、ここで規定した「下方」が、実際の煙感知器１の設置状態では前方（水平方向）であってもよい。
【００１７】
また、以下に説明する各図面においては、煙感知器１の構成を模式的に表しており、図面における各種の寸法関係等が実物とは異なる場合がある。
【００１８】
（２．１）全体構成
まず、本実施形態に係る煙感知器１の全体構成について、図２Ａ〜図５を参照して説明する。
【００１９】
煙感知器１は、筐体２と、感知ブロック１０（図３参照）と、回路ブロック２０（図３参照）と、を備えている。また、本実施形態では、煙感知器１は、音出力部６１（図３参照）と、電池６２と、を更に備えている。電池６２は、煙感知器１の構成要素に含まれることは必須ではなく、煙感知器１の構成要素に電池６２が含まれていなくてもよい。
【００２０】
筐体２は、平面視において円形状となる円盤状である。筐体２は、合成樹脂製の成形品である。筐体２は、第１カバー２１と、第２カバー２２と、を有している。第１カバー２１は、第２カバー２２の下面を覆うように、第２カバー２２に対して組み合わされる。第２カバー２２は、施工面（本実施形態では天井面）に固定される。ただし、厳密には、第２カバー２２は施工面に直接的に固定されるわけではなく、施工面に固定されている取付ベースに固定されることによって、施工面に対して間接的に固定される。
【００２１】
ここで、第１カバー２１及び第２カバー２２は、いずれも円盤状に形成されており、平面視における外周形状が同一である。そのため、第１カバー２１と第２カバー２２とが組み合わされることにより、１つの円盤状の筐体２が構成される。第１カバー２１は、第２カバー２２に対して複数本（３本）のねじ６３にて結合される。第１カバー２１と第２カバー２２とが互いに結合された状態で、第１カバー２１と第２カバー２２との間には、感知ブロック１０、回路ブロック２０及び音出力部６１が収容される。
【００２２】
第１カバー２１は、円形状の第１主板２１１と、第１主板２１１の上面の外周部から上方に突出する第１周壁２１２と、を有している。また、第１カバー２１は、第１主板２１１の上面に、回路ブロック２０を配置するための回路領域２１３（図４参照）、及び音出力部６１を配置するための第１音響領域２１４（図４参照）を更に有している。第１カバー２１は、回路領域２１３内に配置された押釦２１５を更に有している。押釦２１５は、第１主板２１１に対してヒンジ構造により可動に構成されており、筐体２の内側、つまり上方へと押し込む操作が可能である。押釦２１５が押し操作されることにより、回路領域２１３に配置される回路ブロック２０に含まれるスイッチが操作されることになる。
【００２３】
また、第１主板２１１の下面には、外周縁に沿って延びる溝２１６（図２Ａ参照）が形成されている。溝２１６は、第１主板２１１の下面の外周縁と略同心円状であって、全周に亘って形成されている。つまり、溝２１６は、第１主板２１１の下面の外周縁よりも一回り小さい円環状である。さらに、溝２１６の底面のうち第１音響領域２１４に対応する部分には、第１主板２１１を、第１主板２１１の板厚方向に貫通する音孔２１７（図２Ａ参照）が形成されている。
【００２４】
第２カバー２２は、円形状の第２主板２２１と、第２主板２２１の上面の外周部から上方に突出する第２周壁２２２と、を有している。また、第２カバー２２は、第２主板２２１の下面に、感知ブロック１０を配置するための収容領域２２３（図３参照）、及び音出力部６１を配置するための第２音響領域２２４を更に有している。第２カバー２２は、第２主板２２１の上面に、電池６２を収容するための電池領域２２５（図４参照）を更に有している。
【００２５】
また、第２カバー２２は、第２主板２２１の下面から下方に突出する複数のスペーサ２２６を更に有している。複数のスペーサ２２６は、各々の先端部（下端部）を第１主板２１１の上面に接触させることにより、第１カバー２１と第２カバー２２との間に、所定の隙間を確保する。具体的には、第１カバー２１と第２カバー２２とが互いに結合された状態で、第１周壁２１２の上端面と第２主板２２１の下面との間には、筐体２の内部空間を筐体２の外部とつなぐ開口部２３としての隙間が形成される。これにより、開口部２３を通して、筐体２の内部空間、つまり第１カバー２１と第２カバー２２との間の空間に、煙が流入可能となる。
【００２６】
感知ブロック１０は、感知ケース７と、発光素子４（図６参照）と、受光素子５（図６参照）と、を有している。感知ケース７は、平面視において円形状となる円盤状である。感知ケース７は、合成樹脂製の成形品である。ここで、感知ケース７は、少なくとも遮光性を有している。本実施形態では、感知ケース７の一部が壁構造３（図５参照）として機能する。壁構造３は、感知空間Ｓｐ１の外部から感知空間Ｓｐ１に光が進入することを抑制しつつも、感知空間Ｓｐ１の外部から感知空間Ｓｐ１に煙を取り込む機能を有する。感知ブロック１０は、筐体２の内部空間において、回路ブロック２０の上方に配置される。感知ブロック１０は、感知ケース７内における感知空間Ｓｐ１（図５参照）に存在する煙を感知する。
【００２７】
すなわち、感知ブロック１０は、図５に示すように、筐体２の内部空間、つまり第１カバー２１と第２カバー２２との間の空間に、回路ブロック２０等と共に収容される。そして、筐体２の内部空間は、上述したよう開口部２３を通して筐体２の外部と繋がっているので、筐体２の内部空間には開口部２３を通して煙が流入可能である。図５では、煙の進入経路の一部を模式的に点線矢印で示している。そして、感知ブロック１０は、感知空間Ｓｐ１の外部から感知空間Ｓｐ１に煙を取り込む壁構造３を有するので、筐体２の内部空間に流入した煙は、更に感知空間Ｓｐ１へと流入可能となる。これにより、感知ブロック１０での煙の感知が可能となる。感知ブロック１０について詳しくは「（２．２）感知ブロックの構成」の欄で説明する。
【００２８】
回路ブロック２０は、プリント配線板２０１と、スイッチを含む複数の電子部品２０２と、を有している。複数の電子部品２０２は、プリント配線板２０１に実装される。プリント配線板２０１の導体部には、感知ブロック１０の発光素子４及び受光素子５が電気的に接続される。また、プリント配線板２０１の導体部には、音出力部６１及び電池６２が更に電気的に接続される。本実施形態では、プリント配線板２０１は、感知ブロック１０の下方、つまり感知ブロック１０と第１主板２１１との間に配置されている。感知ブロック１０はプリント配線板２０１の板厚方向の一面（上面）上に搭載される。
【００２９】
ここで、回路ブロック２０は、複数の電子部品２０２にて構成される制御回路を含んでいる。制御回路は、発光素子４、受光素子５及び音出力部６１等の制御を行う回路であって、少なくとも発光素子４を駆動し、かつ受光素子５の出力信号について信号処理を実行する。信号処理においては、回路ブロック２０は、受光素子５の受光量（出力信号の大きさ）を閾値と比較することにより、感知空間Ｓｐ１における煙の有無を判断する。受光素子５での受光量は、例えば、感知空間Ｓｐ１の煙の濃度、及び煙の種類（白煙及び黒煙等）によって変化する。したがって、回路ブロック２０は、閾値との比較により、一定以上の濃度の煙が感知空間Ｓｐ１に存在する場合に、「煙有り」と判断する。回路ブロック２０は、煙の存在を感知すると、音出力部６１を駆動するための電気信号を音出力部６１に出力する。
【００３０】
音出力部６１は、回路ブロック２０からの電気信号を受けて音（音波）を出力する。音出力部６１は、電気信号を音に変換するスピーカ又はブザー等により実現される。音出力部６１は、平面視において円形状となる円盤状である。
【００３１】
電池６２は、第２カバー２２の上方において、電池領域２２５に収容される。電池６２は、一次電池と二次電池とのいずれであってもよい。
【００３２】
以上説明したように構成される本実施形態に係る煙感知器１は、例えば、自動火災報知システムの構成要素に含まれる。自動火災報知システムは、煙感知器１の他、例えば、煙感知器１からの発報信号（火災信号）を受信する受信機、及び人が火災を発見した場合に押ボタンを操作するための発信機等を備えている。自動火災報知システムにおいては、例えば、煙感知器１にて火災（による煙）の発生が検知されると、煙感知器１から受信機へ火災発生を通知する発報信号（火災信号）が送信される。
【００３３】
（２．２）感知ブロックの構成
次に、感知ブロック１０のより詳細な構成について、図６〜図１０を参照して説明する。ただし、以下に説明する各図は模式的な図であって、図中の各部位の長さ又は大きさの比が必ずしも実際の寸法比を反映しているとは限らない。
【００３４】
感知ブロック１０は、上述したように感知ケース７と、発光素子４と、受光素子５と、を有しており、感知ケース７の一部が壁構造３として機能する。感知ケース７の内部には、感知空間Ｓｐ１が形成される。また、感知ケース７は、発光素子４を保持する発光素子ホルダ８を有している。さらに、感知ケース７は、受光素子５を保持する受光素子ホルダ９を有している。すなわち、本実施形態に係る煙感知器１は、発光素子ホルダ８及び受光素子ホルダ９を備えている。
【００３５】
本実施形態では、図６に示すように、感知ケース７は、第１ケース７１と、第２ケース７２と、を有している。第２ケース７２は、第１ケース７１の上面を覆うように、第１ケース７１に対して組み合わされる。第１ケース７１は、プリント配線板２０１（図３参照）に固定される。第１ケース７１は、第１ケース７１をプリント配線板２０１に固定するための一対の爪７１１（図７参照）を有している。一対の爪７１１は、第１ケース７１の下面の外周部から下方に突出しており、プリント配線板２０１の孔の周縁に引っ掛かることにより、第１ケース７１をプリント配線板２０１に固定する。言い換えれば、第１ケース７１をプリント配線板２０１とは、スナップフィット方式により機械的に結合される。
【００３６】
ここで、第１ケース７１及び第２ケース７２は、いずれも平面視において円形状に形成されており、平面視における外周形状が略同一である。そのため、第１ケース７１と第２ケース７２とが組み合わされることにより、１つの円盤状の感知ケース７が構成される。第１ケース７１は、第１ケース７１と第２ケース７２とを結合するための一対の爪７１２（図７参照）を有している。一対の爪７１２は、第１ケース７１の上面の外周部から上方に突出しており、第２ケース７２の外周面に引っ掛かることにより、第１ケース７１と第２ケース７２とを結合する。言い換えれば、第１ケース７１と第２ケース７２とは、スナップフィット方式により機械的に結合される。第１ケース７１と第２ケース７２とが互いに結合された状態で、第１ケース７１と第２ケース７２との間には、感知空間Ｓｐ１が形成される。
【００３７】
第１ケース７１は、円形状の底板７３と、底板７３の上面である（第１）内底面７３１の外周部から上方に突出する壁構造３と、を有している。底板７３の内底面７３１は、感知空間Ｓｐ１の底面を構成する。また、第１ケース７１は、発光素子ホルダ８の一部を構成する第１ホルダ８１、及び受光素子ホルダ９を更に有している。また、第１ケース７１は、後述する遮光壁７４（図７参照）、遮光リブ７５（図７参照）及び補助遮光壁７６（図７参照）を更に有している。第１ホルダ８１、受光素子ホルダ９、遮光壁７４、遮光リブ７５及び補助遮光壁７６の各々は、底板７３の内底面７３１から上方に突出する。ここで、底板７３の内底面７３１からの発光素子ホルダ８、受光素子ホルダ９、遮光壁７４及び補助遮光壁７６の突出量は、底板７３の内底面７３１からの壁構造３の突出量と略同一である。
【００３８】
第２ケース７２は、円形状の上板７２１と、上板７２１の下面である（第２）内底面７２５の外周部から下方に突出する周壁７２２と、を有している。周壁７２２の内径は壁構造３の外径より大きい。さらに、上板７２１の内底面７２５からの周壁７２２の突出量は、底板７３の内底面７３１からの壁構造３の突出量と略同一である。したがって、第１ケース７１と第２ケース７２とが互いに結合された状態では、周壁７２２の先端面（下端面）が底板７３の内底面７３１に接触し、壁構造３の先端面（上端面）が上板７２１の内底面７２５に接触する。この状態で、壁構造３は周壁７２２で囲まれた空間に収まることになる。
【００３９】
周壁７２２には、周壁７２２を周壁７２２の板厚方向に貫通する複数の窓孔７２３が形成されている。複数の窓孔７２３は、上板７２１の内底面７２５の周方向に沿って並んでいる。これにより、第１ケース７１と第２ケース７２とが互いに結合された状態で、複数の窓孔７２３を通して壁構造３が感知ケース７の外部に露出する。ここで、周壁７２２には、複数の窓孔７２３を覆うように防虫ネットが取り付けられていてもよい。防虫ネットは、複数の窓孔７２３から感知ケース７内の感知空間Ｓｐ１への虫等の異物の進入を低減する。
【００４０】
また、第２ケース７２は、発光素子ホルダ８の一部を構成する第２ホルダ８２（図９参照）を更に有している。第２ホルダ８２は、第１ホルダ８１と共に発光素子ホルダ８を構成する。言い換えれば、発光素子ホルダ８は、第１ケース７１に設けられた第１ホルダ８１と、第２ケース７２に設けられた第２ホルダ８２と、の２部材に分割される。また、第２ケース７２は、上板７２１の内底面７２５のうち、「第１遮光リブ」としての遮光リブ７５と対向する位置に「第２遮光リブ」としての遮光リブ７２４（図９参照）を更に有している。
【００４１】
（第１）遮光リブ７５及び（第２）遮光リブ７２４は、感知ケース７の内面７００（図１参照）から感知空間Ｓｐ１内に突出する遮光構造７０に含まれている。つまり、遮光リブ７５及び遮光リブ７２４は、遮光構造７０の少なくとも一部を構成する。遮光構造７０について詳しくは「（２．３）遮光構造の構成」の欄で説明する。
【００４２】
壁構造３は、図８Ａに示すように、底板７３の内底面７３１（一平面）に直交する一方向（上方）から見て感知空間Ｓｐ１を囲んでいる。図８Ａは、第２ケース７２を外した状態、つまり第２ケース７２を省略した感知ブロック１０の平面図である。本実施形態では、底板７３の内底面７３１上には、平面視において円形状の感知空間Ｓｐ１が形成されている。壁構造３は、平面視において、感知空間Ｓｐ１を全周にわたって包囲するように円環状に形成されている。言い換えれば、底板７３の内底面７３１の外周部には、内底面７３１の外周縁に沿って円環状の壁構造３が形成されている。第１ケース７１と第２ケース７２とが互いに結合された状態において、底板７３と上板７２１との間の空間であって、かつ壁構造３で囲まれた空間が感知空間Ｓｐ１となる。つまり、感知空間Ｓｐ１と、感知空間Ｓｐ１の周囲の空間と、は壁構造３によって仕切られている。
【００４３】
ここにおいて、壁構造３は、壁構造３の厚み方向の両側に、感知空間Ｓｐ１側を向いた内側面３１と、感知空間Ｓｐ１とは反対側を向いた外側面３２と、を有する。壁構造３は、厚み方向において、煙を通過させ、かつ光の透過を抑制する。すなわち、壁構造３は、平面視において所定の厚みを有する構造体であって、厚み方向の両側に、内側面３１及び外側面３２を有している。本実施形態では、壁構造３は、底板７３の内底面７３１の半径方向、つまり、底板７３の内底面７３１（一平面）に沿った方向であって感知空間Ｓｐ１の周囲から感知空間Ｓｐ１の中心に向かう方向を、壁構造３の厚み方向とする。そして、壁構造３は、内側面３１と外側面３２との間において、煙は通過させつつも、光の透過を抑制する機能を有している。これにより、壁構造３は、感知空間Ｓｐ１の外部から感知空間Ｓｐ１に光が進入することを抑制しつつも、感知空間Ｓｐ１の外部から感知空間Ｓｐ１に煙を取り込むことを可能にする。本実施形態では、壁構造３の厚みは、全周にわたって略均一であって、平面視において、内底面７３１の外周縁と、内側面３１と、外側面３２と、は略同心円状となる。
【００４４】
このような壁構造３は、上記の機能を実現するために、壁構造３を厚み方向に貫通する、つまり内側面３１と外側面３２との間を貫通する複数の煙通過孔３３を有している。複数の煙通過孔３３は、壁構造３の周方向に沿って並んでいる。これにより、壁構造３は、各煙通過孔３３を通して、煙を通過させることができ、感知空間Ｓｐ１の外部から感知空間Ｓｐ１に煙を取り込むことを可能にする。ここで、各煙通過孔３３は、平面視において、内側面３１と外側面３２との間を真っ直ぐ貫くような形状ではなく、内側面３１と外側面３２との間の少なくとも一部が曲がった形状である。つまり、壁構造３の外側面３２側からでは、各煙通過孔３３を通しても、壁構造３に囲まれた感知空間Ｓｐ１を見通すことができないように、各煙通過孔３３は、少なくとも一部が湾曲又は屈曲した形状を有している。これにより、壁構造３は、光が各煙通過孔３３を通して壁構造３を透過することが抑制され、感知空間Ｓｐ１の外部から感知空間Ｓｐ１に光が進入することの抑制が可能になる。ただし、煙通過孔３３は、その全周が壁構造３に囲まれている必要はなく、例えば、煙通過孔３３における上下方向の両側には壁構造３が存在しなくてもよい。また、各煙通過孔３３の内側面３１側の開口と、外側面３２側の開口とは、平面視において、感知空間Ｓｐ１の半径上、つまり感知空間Ｓｐ１の中心点Ｐ１から放射状に延びる直線上に、並んでいなくてもよい。
【００４５】
具体的には、壁構造３は、内側面３１に沿って並ぶ複数の小片３０の集合体である。壁構造３は、これら複数の小片３０の間を通して煙を通過させる。言い換えれば、底板７３の内底面７３１の外周部には、内底面７３１の外周縁に沿って複数の小片３０が間隔を空けて並んで配置されている。複数の小片３０は、いずれも底板７３の内底面７３１から突出しており、１つの壁構造３を構成する。複数の小片３０の内底面７３１からの突出量は略均一である。壁構造３は、複数の小片３０のうち、隣接する一対の小片３０の間に、それぞれ煙通過孔３３を有している。そのため、各煙通過孔３３の上下方向の両側には、壁構造３を構成する小片３０が存在しない。
【００４６】
内側面３１は、これら複数の小片３０の感知空間Ｓｐ１側の端縁３０１を通る面である。外側面３２は、複数の小片３０の感知空間Ｓｐ１とは反対側の端縁３０２を通る面である。要するに、複数の小片３０の感知空間Ｓｐ１側の端縁３０１を結ぶ滑らかな曲面、平面、又は平面と曲面との組み合わせが内側面３１に相当する。同様に、複数の小片３０の感知空間Ｓｐ１とは反対側の端縁３０２を結ぶ滑らかな曲面、平面、又は平面と曲面との組み合わせが外側面３２に相当する。
【００４７】
言い換えれば、複数の小片３０の感知空間Ｓｐ１側の端縁３０１は内側面３１上に位置し、複数の小片３０の感知空間Ｓｐ１とは反対側の端縁３０２は外側面３２上に位置する。複数の小片３０のうち、後述の補助遮光壁７６と連続する小片３０においても、他の小片３０と同様に、感知空間Ｓｐ１側の端縁３０１が内側面３１上に位置し、複数の小片３０の感知空間Ｓｐ１とは反対側の端縁３０２が外側面３２上に位置する。このように、内側面３１及び外側面３２の各々は、本実施形態では、実体を有する面ではなく、複数の小片３０によって形状が規定される仮想面である。そのため、図８Ａ及び図８Ｂでは、内側面３１及び外側面３２を想像線（２点鎖線）で表記している。また、図８Ａにおいては、壁構造３に相当する領域に網掛け（ドットハッチング）を付している。
【００４８】
ただし、複数の小片３０の全てについて端縁３０１の位置が内側面３１と完全に一致することは必須ではなく、複数の小片３０について端縁３０１の位置が内側面３１と略一致していればよい。図８Ａの例でも、複数の小片３０のうちの過半数の小片３０は、感知空間Ｓｐ１側の端縁３０１の位置が内側面３１と完全に一致するが、残りの小片３０については、端縁３０１の位置が内側面３１付近ではあるものの、内側面３１と完全には一致しない。このように、内側面３１は、複数の小片３０のうちの過半数の小片３０の端縁３０１の位置によって規定され、残りの小片３０については端縁３０１が内側面３１付近にあればよい。外側面３２についても同様であって、複数の小片３０の全てについて端縁３０２の位置が外側面３２と完全に一致することは必須ではなく、複数の小片３０について端縁３０２の位置が外側面３２と略一致していればよい。つまり、外側面３２は、複数の小片３０のうちの過半数の小片３０の端縁３０２の位置によって規定され、残りの小片３０については端縁３０２が外側面３２付近にあればよい。ここでいう「付近」は、内側面３１又は外側面３２から見て、壁構造３の厚みの２０％程度の範囲である。
【００４９】
本実施形態では、平面視において、外側面３２は底板７３の内底面７３１の外周縁と略平行、つまり内底面７３１の外周縁から外側面３２までの距離は、全周にわたって均一である。さらに、内側面３１は、図８Ａに示すように、感知空間Ｓｐ１の中心点Ｐ１と外側面３２との間であって、中心点Ｐ１よりも外側面３２に近い位置に形成されている。言い換えれば、平面視において、外側面３２の略同心円であって半径が外側面３２の半分（１／２）となる仮想円を引いた場合に、この仮想円と外側面３２との間に、内側面３１が位置することになる。ただし、このような内側面３１及び外側面３２の各々の形状及び配置は、一例に過ぎず、内側面３１及び外側面３２の各々は、他の形状及び配置を採用してもよい。
【００５０】
ここで、複数の小片３０の各々は、平面視において、感知空間Ｓｐ１側の端縁３０１と、感知空間Ｓｐ１とは反対側の端縁３０２と、の間に曲げ部を有している。本実施形態では、複数の小片３０の各々は、平面視において、略Ｌ字状、略Ｖ字状又は略Ｙ字状に形成されている。このような形状により、隣接する一対の小片３０の間に生じる隙間からなる各煙通過孔３３は、上述したように、平面視において、内側面３１と外側面３２との間の少なくとも一部が曲がった形状となる。これにより、壁構造３は、厚み方向において、煙を通過させ、かつ光の透過を抑制する機能を実現する。
【００５１】
発光素子４は、光出射面４１（図７参照）を有し、通電時に、光出射面４１から光を出力する。本実施形態では一例として、発光素子４は、発光ダイオード（ＬＥＤ：Light Emitting Diode）である。発光素子４は、図６に示すように、本体部４０１を有している。本体部４０１の表面からは、一対のリード端子４０２が突出している。ここで、一対のリード端子４０２は、発光素子４の本体部４０１に電気的に接続されている。一対のリード端子４０２がプリント配線板２０１に電気的に接続されることにより、発光素子４は、回路ブロック２０から電力供給を受けて発光する。本実施形態では、一対のリード端子４０２は、発光素子４の構成要素に含まれないこととして説明するが、一対のリード端子４０２が発光素子４の構成要素に含まれてもよい。
【００５２】
ここで、発光素子４は、図８Ａに示すように、壁構造３の内側面３１と外側面３２との間に配置されている。言い換えれば、発光素子４の本体部４０１は、壁構造３の厚み方向の両端面となる内側面３１及び外側面３２の間に収まるように配置されている。また、発光素子４は、光出射面４１を内側面３１側、つまり感知空間Ｓｐ１側に向けて配置されている。これにより、発光素子４は、ミラー等の光学素子を用いることなく、光出射面４１から感知空間Ｓｐ１に向けて光を出力することができる。
【００５３】
本実施形態では、発光素子４は、図９に示すように、外側面３２側を向いた背面４２と、光出射面４１と背面４２とをつなぐ底面４３と、を更に有している。図９は、図５の領域Ｚ１についての拡大断面図である。発光素子４に電気的に接続される一対のリード線は底面４３から突出する。本実施形態では、底面４３から突出するリード線は、リード端子４０２である。言い換えれば、発光素子４は、本体部４０１における壁構造３の厚み方向の両側に光出射面４１及び背面４２を有している。そして、リード端子４０２は、光出射面４１及び背面４２のいずれでもなく、光出射面４１及び背面４２の両方に隣接する底面４３から突出する。すなわち、発光素子４は、リード端子４０２が突出する面（底面４３）を下方に向けた場合に、側方に光を出力する、いわゆるサイドビュータイプの発光ダイオードである。
【００５４】
また、本実施形態では、リード線（リード端子４０２）は、発光素子４から、発光素子４の光軸Ａｘ１（図１０参照）と直交する方向（ここでは下方）に突出する。つまり、リード端子４０２は、上述したように底面４３から下方に突出しており、リード端子４０２の一部に曲げ構造を採用することなく、発光素子４から下方に向けてリード端子４０２を引き出すことが可能である。
【００５５】
このような構成の発光素子４では、例えば、いわゆる砲弾タイプの発光ダイオードのように、光出射面とは反対側の面からリード端子が突出する構成の発光素子に比べて、壁構造３の厚み方向における占有スペースを小さくすることができる。すなわち、サイドビュータイプの発光ダイオードでは、底面４３から突出するリード端子４０２は、光出射面４１を内側面３１側に向けた発光素子４から、壁構造３の厚み方向とは直交する方向に引き出すことができる。これにより、壁構造３の厚み方向の寸法を比較的小さく抑えながらも、上述したように、壁構造３の内側面３１と外側面３２との間に、光出射面４１を内側面３１側に向けて発光素子４を配置することが可能である。
【００５６】
ここで、底面４３は、底板７３の内底面７３１（一平面）に沿っている。本実施形態では、底面４３は、底板７３の内底面７３１に対して平行ではなく、内底面７３１に対して傾斜している。ただし、底面４３は、底板７３の内底面７３１に沿っていればよく、内底面７３１に対して略平行であってもよい。
【００５７】
さらに詳しくは、光出射面４１は、平坦部４１１と、凸部４１２と、を含んでいる。平坦部４１１は、背面４２と略平行な平面である。凸部４１２は、平坦部４１１からドーム状に突出し、凸レンズとして機能する。本体部４０１は、図９に示すように、発光部４０３及びリード部４０４を有している。発光部４０３は、リード部４０４のうち外側面３２側を向いた表面上に実装されており、通電時に発光する。リード部４０４は、リード端子４０２と一体に構成されている。
【００５８】
受光素子５は、光を電気信号に変換する光電変換を行う素子である。本実施形態では一例として、受光素子５はフォトダイオード（ＰＤ：Photodiode）である。受光素子５は、図６に示すように、本体部５０１と、一対のリード端子５０２と、金属カバー５０３と、を有している。少なくとも本体部５０１の受光面が金属カバー５０３の孔から露出するように、本体部５０１が金属カバー５０３に収容されている。一対のリード端子５０２は、本体部５０１の下面から突出する。ここで、一対のリード端子５０２は、受光素子５の本体部５０１に電気的に接続されている。一対のリード端子５０２がプリント配線板２０１に電気的に接続されることにより、受光素子５は、回路ブロック２０に電気的に接続される。
【００５９】
ここで、受光素子５は、発光素子４からの直接光が入射せず、かつ感知空間Ｓｐ１内の煙での散乱光が入射する位置に配置される。具体的には、受光素子５は、本体部５０１の受光面を感知空間Ｓｐ１側に向けて配置されている。すなわち、発光素子４及び受光素子５の両方が、感知空間Ｓｐ１に向けて配置されている。ただし、図７に示すように、平面視において、発光素子４と受光素子５とを結ぶ直線上には、遮光壁７４が配置されている。遮光壁７４は、発光素子４からの受光素子５への直接光を遮る機能を有する。本実施形態では、遮光壁７４は、壁構造３を構成する複数の小片３０のうちの１つに連続する形状に形成されている。図７は、第２ケース７２を外した状態、つまり第２ケース７２を省略した感知ブロック１０の平面図である。
【００６０】
そして、図８Ａに示すように、平面視において、発光素子４の光軸Ａｘ１と、受光素子５の光軸Ａｘ２と、が互いに交差するような位置関係で、発光素子４及び受光素子５が配置されている。図８Ａの例では、平面視において円形状の感知空間Ｓｐ１の中心点Ｐ１において、発光素子４の光軸Ａｘ１と、受光素子５の光軸Ａｘ２と、が交差する。発光素子４及び受光素子５が、上述のような位置関係にあれば、発光素子４からの直接光は受光素子５には入射しない。一方で、感知空間Ｓｐ１内に煙が流入すると、発光素子４からの光は感知空間Ｓｐ１の中心点Ｐ１に存在する煙にて散乱し、この散乱光の少なくとも一部が受光素子５にて受光される。
【００６１】
このように、感知空間Ｓｐ１に煙が存在しない状態では、受光素子５は、発光素子４から出力された光を受光せず、感知空間Ｓｐ１に煙が存在する状態では、受光素子５は、発光素子４から出力され煙で散乱された光（散乱光）を受光する。したがって、煙感知器１は、受光素子５での受光状態によって、感知空間Ｓｐ１に存在する煙を感知することができる。
【００６２】
ここにおいて、本実施形態では、上述したように発光素子４が壁構造３の厚み内に収まっているので、壁構造３の内側面３１から発光素子４が突出する構成に比べて、感知空間Ｓｐ１を広く確保できる。感知空間Ｓｐ１が広くなれば、感知空間Ｓｐ１内における遮光壁７４の配置の自由度が高くなる。さらに、感知空間Ｓｐ１が広くなれば、感知空間Ｓｐ１の中心点Ｐ１から比較的離れた位置に遮光壁７４が配置可能となる。
【００６３】
また、本実施形態では、発光素子４の光軸Ａｘ１と受光素子５の光軸Ａｘ２とは、図１０に示すように、底板７３の内底面７３１（一平面）に沿っている。図１０は、図７のＡ１−Ａ１線端面図である。図１０の例では、発光素子４の光軸Ａｘ１と受光素子５の光軸Ａｘ２とは、いずれも底板７３の内底面７３１と略平行である。さらに、発光素子４の光軸Ａｘ１と受光素子５の光軸Ａｘ２とは、同一平面内に位置する。言い換えれば、発光素子４の光軸Ａｘ１及び受光素子５の光軸Ａｘ２とは、底板７３の内底面７３１から略同一高さの位置にある。
【００６４】
また、遮光リブ７５は、平面視において、発光素子４の正面、つまり発光素子４の光出射面４１と対向する位置に配置されている。遮光リブ７５と第２ケース７２に設けられた遮光リブ７２４との間には、図９に示すように、一定の隙間が生じる。発光素子４の光軸Ａｘ１は、遮光リブ７５と遮光リブ７２４との間の隙間を通ることになる。これにより、遮光リブ７５及び遮光リブ７２４によって、発光素子４から出力された光の上下方向への拡がりが抑制される。その結果、発光素子４から出力された光が、底板７３の上面（内底面７３１）又は上板７２１の下面（内底面７２５）にて反射することが抑制される。
【００６５】
また、補助遮光壁７６は、壁構造３を構成する複数の小片３０のうち、遮光壁７４と受光素子ホルダ９との間に位置する１つの小片３０に連続する形状に形成されている。補助遮光壁７６は、壁構造３の内側面３１から、感知空間Ｓｐ１内に突出する。補助遮光壁７６は、底板７３の内底面７３１又は上板７２１の内底面７２５等での光の反射に起因した感知空間Ｓｐ１の内部での迷光の発生を抑制し、かつ感知空間Ｓｐ１内への煙の流入性を向上させる機能を有する。つまり、補助遮光壁７６は、感知空間Ｓｐ１の外部から感知空間Ｓｐ１に光が進入することを抑制するための壁構造３の一部である小片３０とは、別の構造体である。図７において、補助遮光壁７６と小片３０との境界線を想像線（２点鎖線）で示している。
【００６６】
発光素子ホルダ８は、上述したように第１ケース７１に設けられた第１ホルダ８１と、第２ケース７２に設けられた第２ホルダ８２と、の２部材に分割されており、発光素子４を保持する。ここで、発光素子ホルダ８の少なくとも一部は、図８Ａに示すように、内側面３１と外側面３２との間に配置されている。具体的には、第１ホルダ８１は、その大部分が内側面３１と外側面３２との間に収まるように、壁構造３を構成する複数の小片３０の間に配置されている。第１ホルダ８１は、発光素子４が嵌る窪みを有している。
【００６７】
さらに、本実施形態では、発光素子ホルダ８は、外側面３２で囲まれた領域に収まるように配置されている。つまり、発光素子ホルダ８（第１ホルダ８１を含む）は、外側面３２からはみ出さずに、外側面３２で囲まれた領域に収まる形状に形成されている。
【００６８】
また、発光素子ホルダ８は、発光素子４に電気的に接続されるリード線を通すための通線孔８０１を有している。本実施形態では、通線孔８０１を通るリード線は、リード端子４０２である。通線孔８０１は、第１ホルダ８１に形成されている。ここにおいて、通線孔８０１は、図８Ｂに示すように、内側面３１と外側面３２との間であって、内側面３１よりも外側面３２に近い位置に形成されている。言い換えれば、図８Ａに示すように、平面視において、壁構造３を厚み方向に２等分する中心線Ｃ１を引いた場合に、この中心線Ｃ１と外側面３２との間に、通線孔８０１が位置することになる。
【００６９】
また、発光素子ホルダ８は、図７に示すように、遮光片８０２を更に有している。遮光片８０２は、第１ホルダ８１における感知空間Ｓｐ１側を向いた面から、感知空間Ｓｐ１内に突出する。ここで、遮光片８０２は、第１ホルダ８１のうち、壁構造３の周方向において遮光壁７４から遠い側の端部から突出する。遮光片８０２は、発光素子４から出力され発光素子ホルダ８の表面で反射された光を遮る機能を有する。
【００７０】
遮光片８０２は、感知ケース７の内面７００（図１参照）から感知空間Ｓｐ１内に突出する遮光構造７０に含まれている。つまり、本実施形態では、遮光片８０２は、遮光リブ７５及び遮光リブ７２４と共に、遮光構造７０の少なくとも一部を構成する。遮光構造７０について詳しくは「（２．３）遮光構造の構成」の欄で説明する。
【００７１】
また、発光素子ホルダ８は、図９に示すように、位置決め面８０３を更に有している。位置決め面８０３は、発光素子４の光軸Ａｘ１と交差する面であって、発光素子４に対して外側面３２側から接触することにより、発光素子４の位置決めを行う。すなわち、位置決め面８０３は、発光素子４の背面４２に接触し、壁構造３の厚み方向における発光素子４の位置決めを行う。本実施形態では、発光素子ホルダ８は、上述したように第１ホルダ８１と、第２ホルダ８２と、の２部材に分割されているため、位置決め面８０３についても、これら第１ホルダ８１及び第２ホルダ８２の２部材にわたって形成されている。
【００７２】
さらに、本実施形態では、位置決め面８０３は、弾性、つまりばね性を有している。位置決め面８０３は、発光素子４を外側面３２側から押す向きの弾性力を発光素子４に作用させる。本実施形態では、発光素子ホルダ８が合成樹脂製であるため、少なくとも第２ホルダ８２が樹脂ばねとして機能することにより、位置決め面８０３に上述の弾性が付与される。
【００７３】
受光素子ホルダ９は、受光素子５を保持する。ここで、受光素子ホルダ９の少なくとも一部は、図８Ａに示すように、内側面３１と外側面３２との間に配置されている。具体的には、受光素子ホルダ９は、その大部分が内側面３１と外側面３２との間に収まるように、壁構造３を構成する複数の小片３０の間に配置されている。受光素子ホルダ９は、受光素子５が嵌る窪みを有している。
【００７４】
（２．３）遮光構造の構成
次に、遮光構造７０のより詳細な構成について、図１、図１１Ａ及び図１１Ｂを参照して説明する。図１１Ａ及び図１１Ｂでは、発光素子４から出力された光の経路（光路）の一部を模式的に点線矢印で示している。ただし、以下に説明する各図は模式的な図であって、図中の各部位の長さ又は大きさの比が必ずしも実際の寸法比を反映しているとは限らない。
【００７５】
本実施形態に係る煙感知器１は、上述したように感知ケース７の内面７００から感知空間Ｓｐ１内に突出する遮光構造７０を有している。本開示でいう「感知ケース７の内面７００」は、感知ケース７の内側となる面であって、感知ケース７の内部空間としての感知空間Ｓｐ１側を向いた面である。本実施形態では、壁構造３の内側面３１、第１ケース７１の内底面７３１（底板７３の上面）、及び第２ケース７２の内底面７２５（上板７２１の下面）は、感知ケース７の内面７００に含まれている。さらに、発光素子ホルダ８及び受光素子ホルダ９のうちの感知空間Ｓｐ１側を向いた面についても、感知ケース７の内面７００に含まれている。
【００７６】
本実施形態に係る煙感知器１は、遮光構造７０として、上述したように遮光片８０２、遮光リブ７５及び遮光リブ７２４を含んでいる。つまり、これら遮光片８０２、遮光リブ７５及び遮光リブ７２４は、いずれも感知ケース７の内面７００から感知空間Ｓｐ１内に突出する。そして、遮光片８０２、遮光リブ７５及び遮光リブ７２４は、発光素子４から出力され感知ケース７の内面７００にて１回以上反射して受光素子５に入射する光の経路Ｏｐ１，Ｏｐ２，Ｏｐ３（図１１Ａ及び図１１Ｂ参照）上に位置する。
【００７７】
煙感知器１は、このような遮光構造７０を備えることにより、発光素子４から出力され感知ケース７の内面７００にて１回以上反射して受光素子５に入射する光の少なくとも一部を、遮光構造７０にて遮ることができる。すなわち、感知ケース７の内面７００での光の反射方向については、一律に制御することが困難であり、感知空間Ｓｐ１を囲む感知ケース７の汚れ及び異物の侵入等に起因して、大きく変化する。そのため、このような感知ケース７の内面７００での反射光が受光素子５に入射すると、受光素子５の受光量（出力信号の大きさ）に影響を与え、ひいては煙感知器１の感知結果に影響を与えることになる。要するに、発光素子４から出力され感知ケース７の内面７００にて１回以上反射する光は、いわゆる「迷光」として、煙感知器１の感知精度を低下させる要素となる。本実施系形態に係る煙感知器１は、遮光構造７０にて、上述したような迷光の少なくとも一部を遮ることにより、感知精度の向上を図りながらも迷光の増加を抑制することができる。
【００７８】
さらに詳しく説明すると、本実施形態では、感知ケース７は、図１に示すように、発光素子４を保持する発光素子ホルダ８を有している。そして、遮光構造７０は、発光素子ホルダ８から突出する遮光片８０２を含んでいる。遮光片８０２は、発光素子ホルダ８における感知空間Ｓｐ１側を向いた面から、感知空間Ｓｐ１内に突出する。ここで、発光素子ホルダ８における感知空間Ｓｐ１側を向いた面には、発光素子ホルダ８における発光素子４からの光が出射される出射口８０４が形成されている。そして、遮光片８０２は、発光素子ホルダ８における出射口８０４の周囲に位置する。ここで、遮光片８０２は、出射口８０４の全周に設けられるのではなく、平面視において、出射口８０４の片側にのみ設けられている。具体的には、遮光片８０２は、出射口８０４から見て、壁構造３の周方向において遮光壁７４とは反対側の位置に配置されている。要するに、遮光片８０２は、平面視において、発光素子４の光軸Ａｘ１に対して非対称に形成されている（図１１Ａ参照）。遮光片８０２が非対称であることにより、迷光成分となり得る光線については遮光片８０２で遮光されやすく、感知空間Ｓｐ１内の煙で散乱して受光素子５に到達する光線については遮光片８０２で遮光されにくい構成となる。したがって、このような構成の遮光片８０２によれば、感知精度の向上を図りながらも迷光の増加を抑制することが可能である。
【００７９】
また、遮光片８０２は、第１ケース７１に設けられた第１ホルダ８１と一体に形成されており、平面視において、先端側が細くなる三角形状に形成されている。さらに、遮光片８０２は、感知空間Ｓｐ１の上下方向における略全幅にわたって形成されている。つまり、感知空間Ｓｐ１においては、感知空間Ｓｐ１の上下方向の両側に位置する一対の内底面７３１，７２５間にわたって遮光片８０２が形成されている。
【００８０】
以上説明した構成の遮光片８０２は、図１１Ａに示すように、発光素子４から出力され、発光素子ホルダ８の表面で反射され、かつ感知ケース７の内面７００にて１回以上反射して受光素子５に入射する光の経路Ｏｐ１上に位置する。つまり、発光素子４から出力され感知ケース７の内面７００にて１回以上反射して受光素子５に入射する光の少なくとも一部は、遮光構造７０である遮光片８０２にて遮られることになる。
【００８１】
仮に遮光片８０２が無ければ、経路Ｏｐ１を通る光は、感知ケース７の内面７００に含まれている壁構造３の内側面３１にて反射し、場合によっては、受光素子５に入射する。本実施形態に係る煙感知器１では、このような経路Ｏｐ１上に遮光片８０２が位置することで、経路Ｏｐ１を通る光を遮光片８０２にて遮ることができ、「迷光」の発生を抑制することが可能である。ただし、感知ケース７の内面７００に含まれている壁構造３の内側面３１は、実体を有する面ではなく、複数の小片３０によって形状が規定される仮想面であるので、内側面３１での光の反射は、厳密には、複数の小片３０の表面にて生じることになる。
【００８２】
ここで、本実施形態では、発光素子４の半値角θ１は２５度以上である。本開示でいう「半値角」は、光軸Ａｘ１上の明るさを１００％として、光軸Ａｘ１から徐々に離れたときの明るさの減少割合に着目し、明るさが５０％になるときの角度（θ１）である。このように、半値角θ１が２５度以上という比較的広角の素子が発光素子４として用いられている場合には、発光素子ホルダ８の表面での反射が生じやすく、経路Ｏｐ１を通る光束が大きくなる。そのため、本実施形態のように、遮光構造７０として遮光片８０２が設けられた構成は、特に有用である。
【００８３】
また、平面視において、発光素子４の光軸Ａｘ１に対して、上記経路Ｏｐ１と対称な位置にも、光の経路が生じることがある。ただし、このような経路上の光は、出射口８０４から遮光壁７４（図７参照）に向けて出力されるため、遮光壁７４で遮られ、迷光とはなりにくい。そのため、本実施形態のように、平面視において、出射口８０４の片側にのみ遮光片８０２が設けられた構成であっても、遮光片８０２にて「迷光」の発生を抑制することは十分に可能である。
【００８４】
また、感知ケース７は、図１に示すように、内面７００の一部として、上下方向（一方向）において互いに対向する一対の内底面７３１，７２５を有している。遮光構造７０は、一対の内底面７３１，７２５の少なくとも一方から突出する遮光リブ７５，７２４を含んでいる。本実施形態では、一対の内底面７３１，７２５の各々から、遮光リブ７５，７２４が突出する。つまり、遮光構造７０は、第１ケース７１の内底面７３１から上方に突出する（第１）遮光リブ７５と、第２ケース７２の内底面７２５から下方に突出する（第２）遮光リブ７２４と、を含んでいる。
【００８５】
ここで、遮光リブ７５と遮光リブ７２４とは、互いに先端面同士を突き合わせるように形成されている。そして、両遮光リブ７５，７２４の間には、一定の隙間が確保されている。発光素子４の光軸Ａｘ１は、図１１Ｂに示すように、遮光リブ７５と遮光リブ７２４との間の隙間を通ることになる。これにより、遮光リブ７５及び遮光リブ７２４によって、発光素子４から出力された光の上下方向への拡がりが抑制される。
【００８６】
言い換えれば、遮光リブ７５，７２４は、発光素子４から出力され一対の内底面７３１，７２５の少なくとも一方に入射する光の経路Ｏｐ２，Ｏｐ３上に位置する。本実施形態では、発光素子４の光軸Ａｘ１の下方に配置された遮光リブ７５は、発光素子４から出力され内底面７３１に入射する光の経路Ｏｐ２上に位置する。発光素子４の光軸Ａｘ１の上方に配置された遮光リブ７２４は、発光素子４から出力され内底面７２５に入射する光の経路Ｏｐ２上に位置する。
【００８７】
また、遮光リブ７５，７２４は、平面視において、発光素子４の光軸Ａｘ１と重なる位置に配置されている（図１１Ａ参照）。具体的には、遮光リブ７５及び遮光リブ７２４は、平面視において、いずれも発光素子４の正面に配置されている。図１１Ａでは、遮光リブ７５のみ図示しているが、遮光リブ７２４についても、平面視における位置及び形状は、遮光リブ７５と同様である。
【００８８】
さらに、遮光リブ７５，７２４は、発光素子４の光軸Ａｘ１に交差する方向に延びた形状である。具体的には、遮光リブ７５及び遮光リブ７２４は、いずれも発光素子４の光軸Ａｘ１に直交する平板状に形成されている。これにより、発光素子４から出力された光のうち、遮光リブ７５又は遮光リブ７２４に入射する光は、遮光リブ７５又は遮光リブ７２４にて、発光素子４の光軸Ａｘ１に沿って、発光素子４側に反射されやすくなる。したがって、遮光リブ７５又は遮光リブ７２４に入射する光の感知空間Ｓｐ１内での拡散が生じにくくなる。
【００８９】
ここで、図１１Ａに示すように、平面視において、発光素子４の光軸Ａｘ１から遮光壁７４側への遮光リブ７５，７２４の突出量Ｌ１は、発光素子４の光軸Ａｘ１から遮光壁７４とは反対側への遮光リブ７５，７２４の突出量Ｌ２よりも小さい（Ｌ１＜Ｌ２）。具体的には、遮光リブ７５，７２４は、発光素子４の光軸Ａｘ１から見て、壁構造３の周方向において遮光壁７４とは反対側に寄った位置に配置されている。要するに、遮光リブ７５，７２４は、平面視において、発光素子４の光軸Ａｘ１に対して非対称に形成されている。
【００９０】
以上説明した構成の遮光リブ７５，７２４は、図１１Ｂに示すように、発光素子４から出力され、感知ケース７の内面７００にて１回以上反射して受光素子５に入射する光の経路Ｏｐ２，Ｏｐ３上に位置する。つまり、発光素子４から出力され感知ケース７の内面７００にて１回以上反射して受光素子５に入射する光の少なくとも一部は、遮光構造７０である遮光リブ７５，７２４にて遮られることになる。
【００９１】
仮に遮光リブ７５，７２４が無ければ、経路Ｏｐ２，Ｏｐ３を通る光は、感知ケース７の内面７００に含まれている一対の内底面７３１，７２５にて反射し、場合によっては、受光素子５に入射する。本実施形態に係る煙感知器１では、このような経路Ｏｐ２上に遮光リブ７５が位置することで、経路Ｏｐ２を通る光を遮光リブ７５にて遮ることができ、「迷光」の発生を抑制することが可能である。経路Ｏｐ３についても同様に、経路Ｏｐ３上に遮光リブ７２４が位置することで、経路Ｏｐ３を通る光を遮光リブ７２４にて遮ることができ、「迷光」の発生を抑制することが可能である。
【００９２】
また、平面視において、出射口８０４から遮光壁７４（図７参照）に向けて出力されることもあるが、このような光は遮光壁７４で遮られ、迷光とはなりにくい。そのため、本実施形態のように、平面視において、発光素子４の光軸Ａｘ１から見て遮光壁７４とは反対側に寄った位置に遮光リブ７５，７２４が設けられた構成であっても、遮光リブ７５，７２４にて「迷光」の発生を抑制することは十分に可能である。
【００９３】
（３）変形例
実施形態１に係る煙感知器１は、本開示の様々な実施形態の一つに過ぎない。実施形態１に係る煙感知器１は、本開示の目的を達成できれば、設計等に応じて種々の変更が可能である。以下、実施形態１の変形例を列挙する。以下に説明する変形例は、適宜組み合わせて適用可能である。
【００９４】
実施形態１では、壁構造３が複数の小片３０の集合体からなるが、この構成に限らず、壁構造３は周方向に連続した一体の「壁」であってもよい。この場合でも、壁構造３は、壁構造３を厚み方向に貫通する複数の煙通過孔３３を有することにより、厚み方向において、煙を通過させ、かつ光の透過を抑制する機能を実現可能である。
【００９５】
また、実施形態１では、感知ブロック１０が筐体２の内部空間に収容される構成を示したが、この構成に限らず、例えば、感知ブロック１０の少なくとも一部が筐体２から突出する構成であってもよい。さらには、筐体２は、煙感知器１に必須の構成ではなく、適宜省略可能である。
【００９６】
また、実施形態１では、感知ケース７及び感知空間Ｓｐ１のいずれもが平面視において円形状である場合について説明したが、この構成に限らず、感知ケース７又は感知空間Ｓｐ１は、例えば、平面視において楕円形状又は多角形状等であってもよい。この場合、壁構造３についても、平面視において、楕円形状又は多角形状等となる。
【００９７】
また、実施形態１では、発光素子ホルダ８の一部が、壁構造３の内側面３１から感知空間Ｓｐ１内にはみ出すように配置されているが、この構成に限らず、発光素子ホルダ８の全体が内側面３１と外側面３２との間に収まっていてもよい。受光素子ホルダ９についても同様に、内側面３１と外側面３２との間に収まっていてもよい。
【００９８】
また、実施形態１では、複数の小片３０は底板７３の内底面７３１から突出するように底板７３と一体に形成されているが、この構成に限らず、複数の小片３０は、底板７３と別体であってもよい。例えば、底板７３に対して、複数の小片３０が、接着又は嵌め込み等により固定されてもよい。この場合、複数の小片３０は、ばらばらに存在することになるが、この場合でも、複数の小片３０が１つの壁構造３を構成する。
【００９９】
また、発光素子４は、発光ダイオードに限らず、例えば、有機ＥＬ（Electro-Luminescence）素子、又はレーザダイオード（ＬＤ：Laser Diode）等であってもよい。受光素子５は、フォトダイオードに限らず、例えば、フォトトランジスタ等であってもよい。
【０１００】
また、底面４３から突出するリード線、又は発光素子ホルダ８の通線孔８０１を通るリード線は、発光素子４に電気的に接続されるリード線であればよく、リード端子４０２に限らず、例えば、リード端子４０２に電気的に接続された電線等であってもよい。
【０１０１】
また、一対のリード端子４０２は、底面４３から突出する構成に限らず、例えば、光出射面４１又は背面４２等、本体部４０１における底面４３以外の面から突出していてもよい。
【０１０２】
また、遮光構造７０は、発光素子４から出力され感知ケース７の内面７００にて１回以上反射して受光素子５に入射する光の経路上に位置すればよく、内面７００にて複数回反射して受光素子５に入射する光の経路上に位置してもよい。
【０１０３】
また、遮光構造７０は、光を完全に遮る構成に限らず、遮光構造７０を透過する光量を低下させる構成であればよい。つまり、一部の光は遮光構造７０を透過してもよい。
【０１０４】
また、遮光構造７０が、遮光片８０２及び遮光リブ７５，７２４の両方を含むことは煙感知器１に必須の構成ではなく、例えば、遮光片８０２又は遮光リブ７５，７２４は省略されてもよい。さらに、遮光構造７０が遮光リブを含む場合でも、遮光構造７０は、一対の内底面７３１，７２５の少なくとも一方から突出する遮光リブ７５，７２４を有していればよく、遮光リブ７５，７２４のいずれか一方のみは省略されてもよい。
【０１０５】
また、遮光リブ７５，７２４の各々の形状は、発光素子４の光軸Ａｘ１に直交する平板状に限らず、例えば、湾曲した板状、又は多角柱状等であってもよい。さらに、遮光リブ７５と遮光リブ７２４とでは、平面視における位置及び形状が異なっていてもよい。
【０１０６】
（実施形態２）
本実施形態に係る煙感知器１Ａは、図１２に示すように、壁構造３の形状等が実施形態１に係る煙感知器１とは相違する。以下、実施形態１と同様の構成については、共通の符号を付して適宜説明を省略する。
【０１０７】
煙感知器１Ａでは、図１２に示すように、平面視において、第１ケース７１の底板７３の内底面７３１の外周縁と、壁構造３の外側面３２との間に殆どスペースが生じない。また、本実施形態では、補助遮光壁７６（図７参照）が省略されている。さらに、壁構造３を構成する複数の小片３０の各々の形状も、実施形態１に係る煙感知器１と相違する。図１２は、第２ケース７２を外した状態、つまり第２ケース７２を省略した感知ブロック１０の平面図である。また、図１２では、内側面３１及び外側面３２を想像線（２点鎖線）で表記し、壁構造３に相当する領域に網掛け（ドットハッチング）を付している。
【０１０８】
また、煙感知器１Ａでは、発光素子４の外観形状についても、実施形態１に係る煙感知器１と相違する。ただし、本実施形態でも、発光素子４は、リード端子４０２が突出する面（底面４３）を下方に向けた場合に、側方に光を出力する、いわゆるサイドビュータイプの発光ダイオードである。この発光素子４は、壁構造３の内側面３１と外側面３２との間に、光出射面４１を内側面３１側に向けて配置されている。
【０１０９】
また、図１３は、実施形態２の変形例に係る煙感知器１Ｂを示す。図１３に示す煙感知器１Ｂは、壁構造３が第１ケース７１ではなく、第２ケース７２に設けられている。図１３は、第２ケース７２を外した状態、つまり第２ケース７２を省略した感知ブロック１０の平面図である。そのため、図１３では、壁構造３を想像線（２点鎖線）で表記している。また、図１３では、内側面３１及び外側面３２を想像線（２点鎖線）で表記し、壁構造３に相当する領域に網掛け（ドットハッチング）を付している。さらに、図１３の例では、遮光壁７４についても、壁構造３と共に第２ケース７２に設けられている。このような構成の煙感知器１Ｂにおいても、第１ケース７１と第２ケース７２とが互いに結合された状態では、煙感知器１Ａと同様に、平面視において、感知空間Ｓｐ１を囲むように壁構造３が配置されることになる。
【０１１０】
実施形態２の構成（変形例を含む）は、実施形態１で説明した構成（変形例を含む）と適宜組み合わせて適用可能である。
【０１１１】
（実施形態３）
本実施形態に係る煙感知器１Ｃは、図１４Ａ及び図１４Ｂに示すように、壁構造３を構成する複数の小片３０の各々の形状が、実施形態２に係る煙感知器１Ａと相違する。図１４Ａ及び図１４Ｂでは、発光素子４から出力された光線の一部を模式的に点線で示している。図１４Ｂは、図１４Ａの領域Ｚ１の拡大図である。以下、実施形態２と同様の構成については、共通の符号を付して適宜説明を省略する。
【０１１２】
本実施形態では、図１４Ａに示すように、複数の小片３０の少なくとも一部は、感知空間Ｓｐ１側を向いた面、つまり発光素子４からの直接光が入射する面に、凹曲面３０３を含んでいる。ここでは、複数の小片３０のうち、発光素子４からの直接光が入射する位置にある小片３０、つまり発光素子４の略正面に位置する小片３０のみが、凹曲面３０３を有している。凹曲面３０３は、平面視において、例えば、放物線の一部、又は楕円の一部となるように湾曲している。
【０１１３】
ところで、図１５Ａ及び図１５Ｂは、実施形態２に係る煙感知器１Ａについて、発光素子４から出力された光線の一部を模式的に点線で示す平面図である。図１５Ａ及び図１５Ｂから明らかなように、小片３０が凹曲面３０３を有しない場合、発光素子４から出力された光の一部が、いずれかの小片３０に入射すると、この光が小片３０にて反射されることがある。いずれかの小片３０にて反射される光は、図１５Ｂに示すように、この小片３０に隣接する小片３０に向けて反射される。このとき、小片３０は、小片３０に対して略平行光として入射する光を、略平行光のまま反射する。その結果、一部の光については、図１５Ａ及び図１５Ｂに経路Ｏｐ４で示すように、複数の小片３０にて多重反射され、受光素子５に入射し、いわゆる「迷光」として、煙感知器１Ａの感知精度を低下させる要素となる。
【０１１４】
これに対して、本実施形態に係る煙感知器１Ｃによれば、発光素子４から出力された光の一部が、いずれかの小片３０に入射すると、この光が小片３０の凹曲面３０３にて反射される。いずれかの小片３０の凹曲面３０３にて反射される光は、図１４Ｂに示すように、この小片３０に隣接する小片３０に向けて反射される。このとき、凹曲面３０３は、凹曲面３０３に対して略平行光として入射する光を集光するように作用する。その結果、小片３０に入射した発光素子４からの光を、隣接する一対の小片３０間に閉じ込めることができ、図１５Ａ及び図１５Ｂの例に比べて、受光素子５に入射する「迷光」を低減できる。よって、本実施形態に係る煙感知器１Ｃでは、感知精度の向上を図りながらも迷光の増加を抑制することができる。
【０１１５】
実施形態３の変形例として、複数の小片３０の少なくとも一部は、凹曲面３０３の裏面、つまり凹曲面３０３とは反対側を向いた面に、（第１）凹曲面３０３とは別の（第２）凹曲面を有していてもよい。この構成では、第１凹曲面３０３で反射された光が第２凹曲面で更に集光され、小片３０に入射した発光素子４からの光を、隣接する一対の小片３０間により閉じ込めやすくなる。したがって、受光素子５に入射する「迷光」をより低減でき、感知精度の向上を図りながらも迷光の増加を抑制することができる。
【０１１６】
実施形態３の構成（変形例を含む）は、実施形態１及び２で説明した構成（変形例を含む）と適宜組み合わせて適用可能である。
【０１１７】
（実施形態４）
本実施形態に係る煙感知器１Ｄは、図１６に示すように、遮光壁７４が複数の小壁７４１，７４２を有する点で、実施形態１に係る煙感知器１と相違する。図１６では、発光素子４による光の照射領域Ａ１、及び受光素子５での光の受光領域Ａ２に網掛け（ドットハッチング）を付している。照射領域Ａ１と受光領域Ａ２とが重複する領域が、感知空間Ｓｐ１内でも特に煙の感知に寄与する感知領域Ａ３となる。また、図１６では、実施形態１における単一の遮光壁７４を想像線（２点鎖線）で示す。以下、実施形態１と同様の構成については、共通の符号を付して適宜説明を省略する。
【０１１８】
本実施形態では、遮光壁７４は、（第１）小壁７４１及び（第２）小壁７４２の２つの小壁７４１，７４２を有している。すなわち、平面視において、発光素子４と受光素子５とを結ぶ直線上には、遮光壁７４を構成する複数の小壁７４１，７４２が配置されている。これら複数の小壁７４１，７４２は、発光素子４からの受光素子５への直接光を遮る機能を有する。
【０１１９】
具体的には、小壁７４１は、平面視において、実施形態１における単一の遮光壁７４に比較して、発光素子４に近い位置に配置されている。これにより、小壁７４１は、主に発光素子４から出力する光の一部を遮光して、照射領域Ａ１を狭めるように機能する。一方、小壁７４２は、平面視において、実施形態１における単一の遮光壁７４に比較して、受光素子５に近い位置に配置されている。これにより、小壁７４２は、主に受光素子５に入射する光の一部を遮光して、受光領域Ａ２を狭めるように機能する。
【０１２０】
本実施形態に係る煙感知器１Ｄによれば、平面視において、発光素子４の光軸Ａｘ１と受光素子５の光軸Ａｘ２とが交差する感知空間Ｓｐ１の中心点Ｐ１から、遮光壁７４（小壁７４１，７４２）までの距離を比較的大きく確保できる。すなわち、実施形態１における単一の遮光壁７４に比較すると、複数の小壁７４１，７４２の各々は、中心点Ｐ１から離れた位置に配置可能である。これにより、感知空間Ｓｐ１内における遮光壁７４の配置の自由度が高くなる。
【０１２１】
実施形態４の変形例として、遮光壁７４が３つ以上の小壁を有していてもよい。
【０１２２】
実施形態４の構成（変形例を含む）は、実施形態１〜３で説明した構成（変形例を含む）と適宜組み合わせて適用可能である。
【０１２３】
（まとめ）
以上説明したように、第１の態様に係る煙感知器（１，１Ａ〜１Ｄ）は、感知ケース（７）と、発光素子（４）と、受光素子（５）と、遮光構造（７０）と、を備える。感知ケース（７）は、感知空間（Ｓｐ１）を囲む。発光素子（４）は、感知空間（Ｓｐ１）に向けて光を出力する。受光素子（５）は、発光素子（４）からの直接光が入射せず、かつ感知空間（Ｓｐ１）内の煙での散乱光が入射する位置に配置される。遮光構造（７０）は、感知ケース（７）の内面（７００）から感知空間（Ｓｐ１）内に突出する。感知ケース（７）は、煙を通過させかつ光の透過を抑制する壁構造（３）を含む。遮光構造（７０）は、発光素子（４）から出力され感知ケース（７）の内面（７００）にて１回以上反射して受光素子（５）に入射する光の経路（Ｏｐ１，Ｏｐ２，Ｏｐ３）上に位置する。
【０１２４】
この態様によれば、発光素子（４）から出力され感知ケース（７）の内面（７００）にて１回以上反射して受光素子（５）に入射する光の少なくとも一部は、遮光構造（７０）にて遮られる。したがって、遮光構造（７０）が無い構成に比べて、発光素子（４）から出力された光が感知ケース（７）の内面（７００）で反射されて受光素子（５）に入射する可能性を低減できる。したがって、例えば、感知ケース（７）の汚れ及び異物の侵入等が生じた場合でも、感知ケース（７）の内面（７００）にて、発光素子（４）から出力された光の一部が受光素子（５）に向けて反射される可能性は低減される。その結果、受光素子（５）には、感知ケース（７）の内面（７００）での反射光が入射しにくくなり、煙感知器（１，１Ａ〜１Ｄ）の感知精度の向上を図りながらも迷光の増加を抑制することが可能である。
【０１２５】
第２の態様に係る煙感知器（１，１Ａ〜１Ｄ）では、第１の態様において、感知ケース（７）は、発光素子（４）を保持する発光素子ホルダ（８）を有する。遮光構造（７０）は、発光素子ホルダ（８）から突出する遮光片（８０２）を含む。
【０１２６】
この態様によれば、遮光構造（７０）の少なくとも一部である遮光片（８０２）を、発光素子（４）付近に配置することができ、遮光構造（７０）の小型化を図ることができる。
【０１２７】
第３の態様に係る煙感知器（１，１Ａ〜１Ｄ）では、第２の態様において、遮光片（８０２）は、発光素子ホルダ（８）における発光素子（４）からの光が出射される出射口（８０４）の周囲に位置する。
【０１２８】
この態様によれば、遮光構造（７０）の少なくとも一部である遮光片（８０２）を、発光素子（４）のより近くに配置することができ、遮光構造（７０）の更なる小型化を図ることができる。
【０１２９】
第４の態様に係る煙感知器（１，１Ａ〜１Ｄ）では、第１〜３のいずれかの態様において、発光素子（４）の半値角（θ１）は２５度以上である。
【０１３０】
この態様によれば、発光素子（４）が比較的広角の素子であるから、感知空間（Ｓｐ１）の比較的広範囲を発光素子（４）でカバーでき、煙感知器（１，１Ａ〜１Ｄ）の感知精度の向上を図ることが可能である。
【０１３１】
第５の態様に係る煙感知器（１，１Ａ〜１Ｄ）では、第１〜４のいずれかの態様において、壁構造（３）は、一平面（底板７３の内底面７３１）に直交する一方向から見て感知空間（Ｓｐ１）を囲んでいる。感知ケース（７）は、一方向において互いに対向する一対の内底面（７３１，７２５）を有する。遮光構造（７０）は、一対の内底面（７３１，７２５）の少なくとも一方から突出する遮光リブ（７５，７２４）を含む。
【０１３２】
この態様によれば、発光素子（４）から出力された光の一平面（底板７３の内底面７３１）に直交する一方向への拡がりを抑制できる。
【０１３３】
第６の態様に係る煙感知器（１，１Ａ〜１Ｄ）では、第５の態様において、遮光リブ（７５，７２４）は、発光素子（４）から出力され一対の内底面（７３１，７２５）の少なくとも一方に入射する光の経路（Ｏｐ２，Ｏｐ３）上に位置する。
【０１３４】
この態様によれば、発光素子（４）から出力され一対の内底面（７３１，７２５）の少なくとも一方で反射される光に起因した、煙感知器（１，１Ａ〜１Ｄ）の感知精度の低下を抑制することができる。
【０１３５】
第７の態様に係る煙感知器（１，１Ａ〜１Ｄ）では、第５又は６の態様において、遮光リブ（７５，７２４）は、一平面（底板７３の内底面７３１）に直交する一方向から見て、発光素子（４）の光軸（Ａｘ１）と重なる位置に配置されている。
【０１３６】
この態様によれば、遮光リブ（７５，７２４）にて発光素子（４）からの光を遮りやすくなる。
【０１３７】
第８の態様に係る煙感知器（１，１Ａ〜１Ｄ）では、第７の態様において、遮光リブ（７５，７２４）は、発光素子（４）の光軸（Ａｘ１）に交差する方向に延びた形状である。
【０１３８】
この態様によれば、発光素子（４）から出力された光のうち、遮光リブ（７５，７２４）に入射する光は、遮光リブ（７５，７２４）にて、発光素子（４）の光軸（Ａｘ１）に沿って、発光素子（４）側に反射されやすくなる。したがって、遮光リブ（７５，７２４）に入射する光の感知空間（Ｓｐ１）内での拡散が生じにくくなる。
【０１３９】
第９の態様に係る煙感知器（１，１Ａ〜１Ｄ）は、第８の態様において、一平面（底板７３の内底面７３１）に直交する一方向から見て、発光素子（４）と受光素子（５）とを結ぶ直線上に配置された遮光壁（７４）を更に備える。一平面に直交する一方向から見て、発光素子（４）の光軸（Ａｘ１）から遮光壁（７４）側への遮光リブ（７５，７２４）の突出量（Ｌ１）は、発光素子（４）の光軸（Ａｘ１）から遮光壁（７４）とは反対側への遮光リブ（７５，７２４）の突出量（Ｌ２）よりも小さい。
【０１４０】
この態様によれば、遮光リブ（７５，７２４）と遮光壁（７４）との隙間を比較的広く確保でき、遮光壁（７４）の配置の自由度が高くなる。
【０１４１】
第２〜９の態様は、煙感知器（１，１Ａ〜１Ｄ）に必須の構成ではなく、適宜省略可能である。
【符号の説明】
【０１４２】
１，１Ａ〜１Ｄ  煙感知器
３  壁構造
４  発光素子
５  受光素子
７  感知ケース
８  発光素子ホルダ
７０  遮光構造
７５，７２４  遮光リブ
７００  内面
７３１，７２５  内底面（一平面）
８０２  遮光片
８０４  出射口
Ａｘ１  発光素子の光軸
Ｌ１，Ｌ２  突出量
Ｏｐ１，Ｏｐ２，Ｏｐ３  光の経路
Ｓｐ１  感知空間
θ１  半値角
【図１】
2019168830.tif 000003
【図２】
2019168830.tif 000004
【図３】
2019168830.tif 000005
【図４】
2019168830.tif 000006
【図５】
2019168830.tif 000007
【図６】
2019168830.tif 000008
【図７】
2019168830.tif 000009
【図８】
2019168830.tif 000010
【図９】
2019168830.tif 000011
【図１０】
2019168830.tif 000012
【図１１】
2019168830.tif 000013
【図１２】
2019168830.tif 000014
【図１３】
2019168830.tif 000015
【図１４】
2019168830.tif 000016
【図１５】
2019168830.tif 000017
【図１６】
2019168830.tif 000018